(57)【要約】【課題】  巻取軸からロール状台紙を迅速容易に取り外すこと。【解決手段】  その基端部が装置本体に取り付けられ、その遊端部が装置本体から水平状に突出して回転駆動するように設けられた巻取軸１において、該巻取軸１の外周面に、その基端部から遊端部にわたって軸方向に向く凹溝６Ａ，６Ｂ，６Ｃが周方向に間隔を置いて複数個形成され、そのうちの一つの凹溝６Ａに、該凹溝６Ａの溝深さと同一またはそれより少ない厚みの係止部材７が凹溝６内でその基端部から遊端部にわたって配置され、係止部材７の一端部がその基端部側で止着ねじ１１で止着されることによって、その他端部が凹溝６内で片持ち状に支持され、しかして凹溝６内で台紙ａが巻取軸１と係止部材７との間に差し込まれるようになっている。【選択図】        図５
2005089035.tif 000002
【特許請求の範囲】
【請求項１】
その基端部が装置本体に取り付けられ、その遊端部が装置本体から水平状に突出して回転駆動するように設けられた巻取軸において、該巻取軸の外周面に、その基端部から遊端部にわたって軸方向に向く凹溝が周方向に間隔を置いて複数個形成され、そのうちの一つの凹溝に、該凹溝の溝深さと同一またはそれより少ない厚みの係止部材が該凹溝内でその基端部から遊端部にわたって配置され、係止部材の一端部がその基端部側で止着されることによって、その他端部が凹溝内で片持ち状に支持され、しかして、凹溝内で台紙が巻取軸と係止部材との間に差し込まれるようになっている台紙巻取装置。
【請求項２】
前記係止部材が平板状に形成され、前記凹溝の底面が平板状係止部材と平行する平坦面に形成されてなる請求項１に記載の台紙巻取装置。
【請求項３】
前記凹溝の底面または係止部材を遊端部側に向かって傾斜させて該凹溝の底面と前記係止部材との間に台紙を差し込むための隙間が形成されてなる請求項１または２に記載の台紙巻取装置。
【請求項４】
前記凹溝を形成する両側縁の尖頭稜線を切除してその凹溝の底面と平行する平坦状稜線に形成してなる請求項１〜３のいずれかに記載の台紙巻取装置。
【請求項５】
前記巻取軸の遊端部端面をテーパ状に切除して、該巻取軸の遊端部テーパ面と係止部材の他端部との間に先広がりの台紙差し込み口が形成されてなる請求項１〜４のいずれかに記載の台紙巻取装置。
【請求項６】
前記巻取軸の外周面が遊端部に向かって先すぼまり状のテーパ状に形成されてなる請求項１〜５のいずれかに記載の台紙巻取装置。
【請求項７】
前記巻取軸の外周面の中央部より遊端部側で没段部を形成し、該没段部から遊端部にかけて小径に形成されてなる請求項１〜５のいずれかに記載の台紙巻取装置。
【発明の詳細な説明】
【技術分野】
【０００１】
本発明は、例えばラベル付き台紙からラベルを剥離した後の台紙を巻き取るための台紙巻取装置に関する。
【背景技術】
【０００２】
従来、台紙巻取装置の技術とし特許文献１などに記載したものがあり、その一例を図９に基づいて説明すると、これは、ラベルｂ付き台紙ａを搬送するラベル搬送経路２０と、台紙ａを回収して巻き取るための台紙回収経路２１と、被貼付物ｃを搬送する被貼付物搬送経路２２とを有しており、ラベル搬送経路２０に沿って搬送するラベルｂ付き台紙ａをターンガイド２３で反転させることにより、該台紙ａからラベルｂを剥離し、その剥離したラベルｂを押さえローラ２４により被貼付物搬送経路２２に沿って搬送する被貼付物ｃに貼付し、ターンガイド２３で反転させた台紙ａを台紙回収経路２１に沿って回収させて巻取軸１に巻き取るようになっている。
【０００３】
前記巻取軸１は、図１０に示すように、その基端部を装置本体２から突出する駆動軸２ａに着脱可能に取り付けたものであって、該巻取軸１の遊端部が装置本体２から水平状に突出され、その巻取軸１の外周面に、基端部から遊端部にわたって軸方向に延びる一対のＶ字溝３が１８０°間隔をおいて形成され、該各Ｖ字溝３に略Ｕ字状係止部材４の両端部が着脱可能に嵌合されている。
【０００４】
台紙ａの巻取手順を説明すると、図１１（ａ）に示すように、台紙ａの端部を巻取軸１に半周程度巻き付けた状態で、同図（ｂ）に示すように、巻取軸１の各Ｖ字溝３に係止部材４の両端部を嵌合させることにより、その巻取軸１と係止部材４とで台紙ａの端部を挟みつけ、続いて、巻取軸１を矢印方向に回転させることにより、該巻取軸１に台紙ａを巻き取るようになっている。
【０００５】
台紙ａの取外手順を説明すると、図１０（ａ）に仮想線で示すように、巻取軸１に台紙ａを巻き取った後、係止部材４の中央部を把持して引っ張ることにより、該係止部材４の両端部を各Ｖ字溝３から引き抜き、巻取軸１からロール状台紙ａを取り外すようになっている。
【特許文献１】特開平１０−９５４１５号公報
【発明の開示】
【発明が解決しようとする課題】
【０００６】
上記従来の構成では、図１２に示すように、各Ｖ字溝３が浅くて、該各Ｖ字溝３に嵌合する係止部材４の両端部がその各Ｖ字溝３から外部に突出されているため、巻取軸１に台紙ａを巻き取ることにより、台紙ａは二点鎖線に示すように多重層に巻き取られるため、該巻取軸１の中心に向けて発生する台紙ａの押圧力Ｆで係止部材４の両端部が各Ｖ字溝３の底面に強力に押し付けられると共に、その各Ｖ字溝３の底面と係止部材４の両端部とで台紙ａの端部が強固に挟持されている。このため、作業員が係止部材４の中央部を把持して引っ張ることにより該係止部材４の両端部を各Ｖ字溝３から引き抜く際に、大きな労力を必要とし、特に女性などの非力な作業員には過大な負担となって、巻取軸１からロール状台紙ａを取り外すのに時間と手間とがかかって極めて不能率であった。
【０００７】
本発明は、上記従来の欠点に鑑み、巻取軸からロール状台紙ａを迅速容易に取り外すことができるようにした台紙巻取装置を提供することを目的としている。
【課題を解決するための手段】
【０００８】
上記目的を達成するための構成を実施の形態に対応する図面に基づいて説明すると、請求項１に記載の発明は、図１〜図４に示すように、その基端部が装置本体２に取り付けられ、その遊端部が装置本体２から水平状に突出して回転駆動するように設けられた巻取軸１において、該巻取軸１の外周面に、その基端部から遊端部にわたって軸方向に向く凹溝６Ａ，６Ｂ，６Ｃが周方向に間隔を置いて複数個形成され、そのうちの一つの凹溝６Ａに、該凹溝６の溝深さｄと同一またはそれより少ない厚みＴの係止部材７が凹溝６内でその基端部から遊端部にわたって配置され、係止部材７の一端部がその基端部側で止着されることによって、その他端部が凹溝６内で片持ち状に支持され、しかして、凹溝６内で台紙ａが巻取軸１と係止部材７との間に差し込まれるようになっている構成を採用するものである。
【０００９】
請求項２に記載の発明は、請求項１に記載の発明において、前記係止部材７が平板状に形成され、前記凹溝６の底面６ａが平板状係止部材７と平行する平坦面に形成されてなる構成を採用するものである。
【００１０】
請求項３に記載の発明は、請求項１または２に記載の発明において、前記凹溝６の底面６ａまたは係止部材７を遊端部側に向かって傾斜させて該凹溝６の底面６ａと前記係止部材７との間に台紙ａを差し込むための隙間が形成されてなる構成を採用するものである。
【００１１】
請求項４に記載の発明は、請求項１〜３のいずれかに記載の発明において、前記凹溝６を形成する両側縁の尖頭稜線を切除してその凹溝６の底面６ａと平行する平坦状稜線１５に形成してなる構成を採用するものである。
【００１２】
請求項５記載の発明は、請求項１〜４のいずれかに記載の発明において、前記巻取軸１の遊端部端面をテーパ状に切除して、該巻取軸１の遊端部テーパ面と係止部材７の他端部との間に先広がりの台紙差し込み口１３が形成されてなる構成を採用するものである。
【００１３】
請求項６に記載の発明は、請求項１〜５のいずれかに記載の発明において、前記巻取軸１の外周面が遊端部に向かって先すぼまり状のテーパ状に形成されてなる構成を採用するものである。
【００１４】
請求項７に記載の発明は、請求項１〜５のいずれかに記載の発明において、前記巻取軸１の外周面の中央部より遊端部側で没段部１７を形成し、該没段部１７から遊端部にかけて小径に形成されてなる構成を採用するものである。
【発明の効果】
【００１５】
請求項１に記載の発明によれば、巻取軸１の外周面に、その周方向に間隔を置いて複数の凹溝６Ａ，６Ｂ，６Ｃが形成されるため、巻取軸１に巻き取られる台紙ａが接触する巻取軸１の外周面は１Ａ，１Ｂ，１Ｃに示すようにその接触面積が少なくなり、また巻取軸１の凹溝６内に片持ち状に止着した係止部材７の厚みＴが該凹溝６の溝深さｄと同一またはそれよりも少なく設定されているので、図６に示すように、巻取軸１に台紙ａを巻き取ることにより該巻取軸１の中心に向けて発生する押圧力Ｆが係止部材７にかからず、その係止部材７と凹溝６の底面６ａとで台紙ａの端部を強固に挟み付けることもない。従って、女性などの非力な作業員であっても比較的小さな労力で巻取軸１からロール状台紙ａを迅速容易に取り外すことができる。
【００１６】
請求項２記載の発明によれば、図５（ｂ）に示すように、平板状係止部材７と凹溝６の底面６ａとが比較的広幅で平行しているため、その両者間に差し込んだ台紙ａが不測に引っ張られても外れることがなく、その台紙ａの端部を巻取軸１に確実に巻き取ることができる。
【００１７】
請求項３に記載の発明によれば、図２に示すように、凹溝６の底面６ａと係止部材７との間に隙間βが形成されているので、その両者間の奥まで台紙ａを確実に差し込むことができる。
【００１８】
請求項４に記載の発明によれば、図５（ｂ）に示すように、凹溝６の両側縁に形成した尖頭稜線を切除して該凹溝６の底面６ａと平行する平坦状稜線１５を形成しているので、台紙ａの端部をあまり折り曲げなくても、その台紙ａの端部を両平坦状稜線１５から凹溝６の底面６ａにかけて容易に差し込むことができる。
【００１９】
請求項５記載の発明によれば、図１に示すように、巻取軸１の遊端部に形成したテーパ面１ｃと係止部材７の他端部との間に先広がりの台紙差し込み口１３が形成されているので、その台紙差し込み口１３を通って台紙ａの差し込み作業を容易に行うことができる。
【００２０】
請求項６に記載の発明によれば、図７に示すように、外周面を先すぼまりのテーパ状に形成した巻取軸１とそれに巻き付けたロール状台紙ａとの密着度が該巻取軸１の基端部から遊端部にかけて徐々に小さくなっているので、その巻取軸１からロール状台紙ａを小さな力で容易に取り外すことができる。
【００２１】
請求項７に記載の発明によれば、図８に示すように、巻取軸１の外周面が没段部１７から遊端部にかけて小径にされており、その小径部分とそれに巻き付けたロール状台紙ａとの密着度が小さいので、巻取軸１からロール状台紙ａを小さな力で容易に取り外すことができる。
【発明を実施するための最良の形態】
【００２２】
図１〜図４は本発明の第１の実施の形態である台紙巻取装置の要部を示すものであって、装置本体２の駆動軸２ａに着脱可能に取り付けた巻取軸１の外周面に凹溝６Ａ，６Ｂ，６Ｃが周方向に等間隔を置いて形成される。そして、そのうちの一つの凹溝６Ａ内に係止部材７が配置されている。上記以外の構成は図９及び図１０に示す構成とほぼ同じなので、同一部分に同一符号を付してその説明を省略する。
【００２３】
前記巻取軸１は、摩擦係数の小さい硬質合成樹脂により円柱状に形成され、その基端面に形成した嵌合孔１ａを駆動軸２ａに嵌合させてビス８により止着されており、その具体的寸法の一例を示すと、全長Ｈが１１０ｍｍ、外径Ｒが３２ｍｍである。
【００２４】
前記凹溝６Ａは、巻取軸１の基端部から遊端部にわたって軸心方向に形成されており、その具体的寸法の一例を示すと、図２に示すように、溝深さｄが２．５ｍｍ、底面６ａの幅ｍが１０ｍｍ、外広がりに傾斜する両側面６ｂの傾斜角度αが４５°である。また、係止部材７が配置される凹溝Ａ以外の凹溝６Ｂ，６Ｃも凹溝Ａと同じように形成されてもよいが、凹溝６Ｂ，６Ｃには係止部材７が配置されないため、溝深さは浅くてもよい。これらの凹溝６Ａ，６Ｂ，６Ｃが形成されることによって、巻取軸１には、これらの凹溝６Ａ，６Ｂ，６Ｃを挟んで、外周面積の少ない外周面１Ａ，１Ｂ，１Ｃが形成される。
【００２５】
また、図１に示すように、巻取軸１の遊端部外周面から凹溝６にかけて所定の傾斜角度θ（この実施の形態では３０°）でテーパ状に切除して遊端部テーパ面１ｃが形成され、図２に示すように、凹溝６を形成する両側縁の尖頭稜線を切除してその凹溝６の底面６ａと平行する平坦状稜線１５が形成されている。
【００２６】
前記係止部材７は、金属製平板からなり、図４に示すように、その一端部に貫設した貫通孔７ａを通って巻取軸１のねじ孔１ｂにワッシャ９及び座金１０付を介して止着ねじ１１をねじ込むことにより、その一端部が巻取軸１の基端部側に止着され、その他端部が凹溝６内で片持ち状に支持されており、その具体的寸法を示すと、図１及び図２に示すように、長さＬが１０８ｍｍ、幅Ｎが１０ｍｍ、厚みＴが１ｍｍである。
【００２７】
台紙ａの巻取手順を説明すると、図５に示すように、台紙ａの端部を係止部材７と凹溝６の底面６ａとの間に差し込み、巻取軸１を矢印方向に回転させることにより、該巻取軸１に台紙ａを巻き取っていけばよい。
【００２８】
この場合、巻取軸１の遊端部テーパ面１ｃと係止部材７の他端部との間に先広がりの台紙差し込み口１３が形成されているので、その台紙差し込み口１３を通って台紙ａの差し込み作業を容易に行うことができる。
【００２９】
また、図１及び図２に示すように、係止部材７を遊端部側に向かってわずかに上方に傾斜させて該係止部材７と凹溝６の底面６ａとの間に隙間βが形成されているので、その両者７，６ａ間の奥まで台紙ａを確実に差し込むことができる。なお、凹溝６の底面６ａを遊端部側に向かってわずかに下方に傾斜させて隙間βを形成してもよい。
【００３０】
更に、図５（ｂ）に示すように、凹溝６の両側縁に底面６ａと平行する平坦状稜線１５が形成されているので、台紙ａの端部をあまり折り曲げなくても、その台紙ａの端部を両平坦状稜線１５から凹溝６の底面６ａにかけて容易に差し込むことができる。
【００３１】
しかも、図５（ｂ）に示すように、平板状係止部材７と凹溝６の底面６ａとが比較的広幅で平行しているため、その両者間に差し込んだ台紙ａが不測に引っ張られても外れることがなく、その台紙ａの端部を巻取軸１に確実に巻き取ることができる。
【００３２】
台紙ａの取外手順を説明すると、図３に仮想線で示すように、巻取軸１に台紙ａを巻き取った後、ロール状台紙ａを把持して巻取軸１の遊端側に引っ張ることにより、その巻取軸１からロール状台紙ａを取り外せばよい。
【００３３】
この場合、図１及び図２に示すように、巻取軸１の外周面に、その周方向に間隔を置いて複数の凹溝６Ａ，６Ｂ，６Ｃが形成されるため、巻取軸１に巻き取られる台紙ａが接触する巻取軸１の外周面は１Ａ，１Ｂ，１Ｃに示すようにその接触面積が少なくなり、また、巻取軸１の凹溝６内に片持ち状に止着した係止部材７の厚みＴが該凹溝６の溝深さｄと同一またはそれよりも少なく設定されているので、図６に示すように、巻取軸１に台紙ａを巻き取ることにより該巻取軸１の中心に向けて発生する押圧力Ｆが係止部材７にかからず、その係止部材７と凹溝６の底面６ａとで台紙ａの端部を強固に挟み付けることもない。従って、女性などの非力な作業員であっても比較的小さな労力で巻取軸１からロール状台紙ａを迅速容易に取り外すことができる。
【００３４】
図７（ａ）（ｂ）は本発明の第２の実施の形態である台紙巻取装置の要部を示すものであって、巻取軸１の外周面が所定の勾配Ｋ／Ｈで先すぼまり状のテーパ状に形成されており、その具体的寸法を示すと、高さＫが台紙ａの厚み程度（例えば数１０μ〜数１００μ）、長さＨが１１０ｍｍである。上記以外の構成は図１〜図４に示す第１の実施の形態とほぼ同じであるので、同一部分に同一符号を付してその説明を省略する。
【００３５】
上記構成によれば、外周面を先すぼまりのテーパ状に形成した巻取軸１とそれに巻き付けたロール状台紙ａとの密着度が該巻取軸１の基端部から遊端部にかけて徐々に小さくなっているので、その巻取軸１からロール状台紙ａを小さな力で容易に取り外すことができる。
【００３６】
図８は本発明の第３の実施の形態である台紙巻取装置の要部を示すものであって、巻取軸１の外周面の中央部より遊端部側で没段部１７を形成し、該没段部１７から基端部側にかけての後半部Ｈ１に対して、その没段部１７から遊端部にかけての前半部Ｈ２が小径に形成されており、その具体的寸法を示すと、小径幅Ｇが台紙ａの厚み程度（例えば数１０μ〜数１００μ）である。上記以外の構成は図１〜図４に示す第１の実施の形態とほぼ同じであるので、同一部分に同一符号を付してその説明を省略する。
【００３７】
上記構成によれば、巻取軸１の外周面に形成した没段部１７から遊端部にかけて小径にされており、その小径部分（前半部Ｈ２）とそれに巻き付けたロール状台紙ａとの密着度が小さいので、巻取軸１からロール状台紙ａを小さな力で容易に取り外すことができる。
【００３８】
なお、前記実施の形態にあっては、巻取軸１の外周面には３個の凹溝６Ａ，６Ｂ，６Ｃを形成し、従って、台紙ａは周方向の３ヶ所の外周面１Ａ，１Ｂ，１Ｃに接触するようになっているが、勿論これに限定されることはなく、少なくとも周方向に２ヶ所又は４ヶ所以上に凹溝が形成されてもよい。又、巻取軸１の外周面は円周状に形成され、従って外周面１Ａ，１Ｂ，１Ｃは円弧状に形成されているが、巻取軸１の外周面は多角形状に形成され、従って外周面１Ａ，１Ｂ，１Ｃは平坦状に形成されてもよい。
【図面の簡単な説明】
【００３９】
【図１】本発明の第１の実施の形態である台紙巻取装置の要部の縦断面図である。
【図２】図１のＡ−Ａ矢視図である。
【図３】同要部の斜視図である。
【図４】同要部の分解斜視図である。
【図５】（ａ）は同台紙の巻取手順を説明する斜視図、（ｂ）は横断面図である。
【図６】同台紙の巻き取り状態を示す要部の拡大横断面図である。
【図７】（ａ）は本発明の第２の実施の形態である台紙巻取装置の要部の縦断面図、（ｂ）は巻取軸の外周面の勾配を示す説明図である。
【図８】本発明の第３の実施の形態である台紙巻取装置の要部の縦断面図である。
【図９】従来の台紙巻取装置を示す概略説明図である。
【図１０】（ａ）は同要部の斜視図、（ｂ）は同縦断面図、（ｃ）は同正面図である。
【図１１】（ａ）は台紙の巻取手順を説明する斜視図、（ｂ）は横断面図である。
【図１２】台紙の巻き取り状態を示す要部の拡大横断面図である。
【符号の説明】
【００４０】
１        巻取軸
１Ａ      巻取軸の外周面
１Ｂ      巻取軸の外周面
１Ｃ      巻取軸の外周面
１ｃ      遊端部テーパ面
２        装置本体
６Ａ      凹溝
６Ｂ      凹溝
６Ｃ      凹溝
６ａ      凹溝の底面
７        係止部材
１１      止着ねじ
１３      台紙差し込み口
１５      平坦状稜線
１７      没段部
ａ        台紙
ｄ        凹溝の溝深さ
Ｔ        係止部材の厚み
β        係止部材と凹溝の底面との間の隙間
Ｋ／Ｈ    勾配
【図１】
2005089035.tif 000003
【図２】
2005089035.tif 000004
【図３】
2005089035.tif 000005
【図４】
2005089035.tif 000006
【図５】
2005089035.tif 000007
【図６】
2005089035.tif 000008
【図７】
2005089035.tif 000009
【図８】
2005089035.tif 000010
【図９】
2005089035.tif 000011
【図１０】
2005089035.tif 000012
【図１１】
2005089035.tif 000013
【図１２】
2005089035.tif 000014